(57)【要約】【課題】子供達が歯磨き中に痛がる点を十分解消することができる子供用歯ブラシ及び子供用歯ブラシの製造方法を提供する。【解決手段】子供用歯ブラシ１は、複数のブラシ毛３１が植毛された歯ブラシヘッド４を備える子供用歯ブラシ１であって、前記ブラシ毛３１の毛丈が大人用に比べて比較的短く形成され、前記ブラシ毛３１の直径が大人用に比べて小さく形成され、前記ブラシ毛３１の先端部が丸めて形成されている。具体的には、子供用歯ブラシ１は、前記ブラシ毛３１の毛丈が５．５〜６．５ｍｍの範囲内であり、前記ブラシ毛３１の直径が０．１ｍｍ以下であり、前記ブラシ毛３１の先端部が丸めて形成されている。【選択図】図１
2020044417.tif 000002
【特許請求の範囲】
【請求項１】
複数のブラシ毛が植毛された歯ブラシヘッドを備える子供用歯ブラシであって、  前記ブラシ毛の毛丈が大人用に比べて比較的短く形成され、  前記ブラシ毛の直径が大人用に比べて小さく形成され、  前記ブラシ毛の先端部が丸めて形成されていることを特徴とする子供用歯ブラシ。
【請求項２】
複数のブラシ毛が植毛された歯ブラシヘッドを備える子供用歯ブラシであって、  前記ブラシ毛の毛丈が５．５〜６．５ｍｍの範囲内であり、  前記ブラシ毛の直径が０．１ｍｍ以下であり、  前記ブラシ毛の先端部が丸めて形成されていることを特徴とする子供用歯ブラシ。
【請求項３】
前記請求項１または２のいずれかに記載された子供用歯ブラシの製造方法であって、  前記歯ブラシヘッドに前記複数のブラシ毛を植毛する第１の工程と、  前記第１の工程の後に、前記複数のブラシ毛の毛丈を切り揃える第２の工程と、  前記第２の工程の後に、前記複数のブラシ毛の先端部を、回転中の砥石に押し付けることで、前記複数のブラシ毛の先端部を丸める第３の工程と、  を備えることを特徴とする子供用歯ブラシの製造方法。
【発明の詳細な説明】
【技術分野】
【０００１】
本発明は、子供用歯ブラシ及び子供用歯ブラシの製造方法に関する。
【背景技術】
【０００２】
一般的な大人用の歯ブラシの繊維（ブラシ毛）の直径は０．１８〜０．２２ｍｍであるのに対して、子供用の歯ブラシの繊維（ブラシ毛）の直径は０．１２〜０．１５ｍｍが主流である。
これは、太い繊維は硬いため、子供の歯茎を傷めやすいこと、更には大人が磨いてあげる際に、子供を痛がらせることが多いのが理由である。一方、子供が全く痛がらない程度まで繊維の直径を細くすると、本来の目的である歯ブラシとしての清掃能力が不足するとう問題が生じる。
そのため、従来の子供用が歯ブラシでは、歯ブラシの柄の構造を変える、ブラシ部分を繊維からエラストマーに変更するなど様々な工夫がされている。【０００３】
しかしながら、歯面や歯間の洗浄効果が不十分となり、また歯茎のマッサージ効果の低く、さらには高価となり、社会的要求を満たすものではなかった。  このように、子供用の歯ブラシは、清掃性を確保する程度に繊維直径を細くするだけに留めている製品が多く、子供達が痛がる点は解消しきれていなかった。【０００４】
また、歯ブラシの繊維直径を先端部から徐々に変化させ、歯と歯茎の境目の隙間（歯肉溝）の歯垢や歯と歯の間の歯垢を除去する歯ブラシが、特許文献１において提案されている。この特許文献１では、化学的処理により、合成樹脂製繊維の先端部にテーパ面を形成し、円柱状の繊維の先端部を細くするテーパ化処理された歯ブラシが提案されている。
【先行技術文献】
【特許文献】
【０００５】
【特許文献１】特開２０１０−２３３７８１公報
【発明の概要】
【発明が解決しようとする課題】
【０００６】
上記したように、子供用の歯ブラシは、清掃性を確保する程度に繊維直径を細くするだけに留めている製品が多く、子供達が歯磨き中に痛がる点は解消しきれていないのが現状である。【０００７】
この課題を解消するために、特許文献１に記載されるような化学処理により、子供用の歯ブラシの合成樹脂製繊維の先端部にテーパ面を形成し、円柱状の繊維の先端部を細くするテーパ化処理を子供用歯ブラシに適用することが考えられる。【０００８】
しかしながら、繊維の先端部を細くするテーパ化処理を施すと、結果的に繊維の先端部が尖り、子供達が歯磨き中に痛がる点を十分解消できないという技術的課題があった。【０００９】
本発明は、子供達が歯磨き中に痛がる点を十分解消することができる子供用歯ブラシ及び子供用歯ブラシの製造方法を提供することである。
【課題を解決するための手段】
【００１０】
本発明の第１の観点における子供用歯ブラシは、複数のブラシ毛が植毛された歯ブラシヘッドを備える子供用歯ブラシであって、前記ブラシ毛の毛丈が大人用に比べて比較的短く形成され、前記ブラシ毛の直径が大人用に比べて小さく形成され、前記ブラシ毛の先端部が丸めて形成されているものである。
好適には、請求項１に記載の植物の子供用歯ブラシは、複数のブラシ毛として合成樹脂製繊維を用いる。【００１１】
請求項２に記載の発明の子供用歯ブラシは、複数のブラシ毛が植毛された歯ブラシヘッドを備える子供用歯ブラシであって、前記ブラシ毛の毛丈が５．５〜６．５ｍｍの範囲内であり、前記ブラシ毛の直径が０．１ｍｍ以下であり、前記ブラシ毛の先端部が丸めて形成されている。【００１２】
請求項３に記載の発明の子供用歯ブラシの製造方法は、前記請求項１または２のいずれかに記載された子供用歯ブラシの製造方法であって、前記歯ブラシヘッドに前記複数のブラシ毛を植毛する第１の工程と、前記第１の工程の後に、前記複数のブラシ毛の毛丈を切り揃える第２の工程と、前記第２の工程の後に、前記複数のブラシ毛の先端部を、回転中の砥石に押し付けることで、前記複数のブラシ毛の先端部を丸める第３の工程とを備える。
【発明の効果】
【００１３】
本発明における子供用歯ブラシ及び子供用歯ブラシの製造方法によって、子供達が歯磨き中に痛がる点を十分解消することが可能となった。
【図面の簡単な説明】
【００１４】
【図１】本発明の第１の実施形態に係る子供用歯ブラシの斜視図である。
【図２】本発明の第１の実施形態に係る子供用歯ブラシの側面図及び正面図である。
【図３】本発明の第１の実施形態に係る子供用歯ブラシのブラシ毛の先端部を拡大して示す拡大図である。
【図４】本発明の第１の実施形態に係る子供用歯ブラシのサイズを説明する説明図である。
【図５】本発明の第１の実施形態に係る子供用歯ブラシの製造方法を示す説明図である。
【図６】本発明の第１の実施形態に係る子供用歯ブラシによる歯磨きを示す説明図である。
【発明を実施するための形態】
【００１５】
＜第１の実施形態＞
図１は、本発明の第１の実施形態に係る子供用歯ブラシの斜視図である。
図１において、子供用歯ブラシ１は、基体２とブラシ３とから構成されている。  
【００１６】
基体２は、基端側から順に、柄２１、傾斜部２２、植毛ベース部２３が形成されている。基体２の先端部分となる植毛ベース部２３には、ブラシ３が設けられている。
なお、傾斜部２２は図２では記載しているが、傾斜部２２がなくストレートの方がより適切である。
【００１７】
植毛ベース部２３とブラシ３で、子供用歯ブラシヘッド４を形成している。  前記ブラシ３は、複数本のブラシ毛３１を、植毛ベース部２３の複数個所に植設することにより形成されている。ブラシ毛３１には合成樹脂製繊維を用いている。ブラシ毛３１の合成樹脂製繊維の素材としては、６，６−ナイロン，６−ナイロン、１２−ナイロン、６，１０−ナイロン、６，１２−ナイロン等のポリアミド系樹脂、ポリエチレン、ポリプロピレン等のポリオレフィン系樹脂、ポリエチレンテレフタレート、ポリブチレンテレフタレート、ポリトリメチレンテレフタレート等のポリエステル系樹脂が用いられている。  
【００１８】
図２（ａ）は図１の子供用歯ブラシ１の側面図、図２（ｂ）は図１の子供用歯ブラシ１の正面図、図３は子供用歯ブラシ１のブラシ毛の先端部を拡大して示す拡大図、図４は図１の子供用歯ブラシ１のサイズを説明する説明図である。
【００１９】
図２（ａ）、図２（ｂ）において、基体２は、ポリプロピレン樹脂、ポリアセタール樹脂、ポリオキシメチレン樹脂等の樹脂で一体に形成されている。また、子供用歯ブラシ１は、全長（Ｌ）がＬ＝１１０．０〜１８０．５ｍｍ（図４参照）の範囲で形成されている。
【００２０】
図２（ａ）において、子供用歯ブラシヘッド４は、植毛ベース部２３の先端側の厚さ（Ａ）がＡ＝４．７０ｍｍ（図４参照）、植毛ベース部２３の基端側（柄側）の厚さ（Ｂ）がＢ＝５．００ｍｍ（図４参照）で形成されている。
基端側（柄側）の厚さ（Ｂ）はＢ＝６．００ｍｍ〜４．００ｍｍの間が適切である。
Ｂが薄い方がより子供の口の中に入りやすいが、薄すぎると植毛する部分が十分に取れないことからこの程度が適切である。
つまり、この基端側（柄側）の厚さ（Ｂ）を普通の歯ブラシより薄く形成している
子供用歯ブラシヘッド４も、できるだけ小さく形成している。
具体的には、植毛部分の根元からの距離をできるだけ取らない大きさで形成されている。具体手的には、植毛部分の根元から先頭方向、左右方向への余白の大きさが、０．３０〜１．５０ｍｍの間が適切である。
【００２１】
前記子供用歯ブラシヘッド４のブラシ毛３１の植毛面は、図２（ａ）に示す長さ（Ｃ）がＣ＝１４．５０ｍｍ、図２（ｂ）に示す幅（Ｄ）がＤ＝８．２８ｍｍ（図４参照）で形成されている。
【００２２】
前記子供用歯ブラシヘッド４のブラシ毛３１は、図２（ａ）に示す植毛ベース部２３の表面から突出した長さであるところの毛丈（Ｅ）がＥ＝５．５〜６．５ｍｍ（図４参照）の範囲で形成されている。
このように毛の長さが短いことから、口の小さい（口を大きくあけてくれない）幼児等の口の中の奥まで侵入させることができ、磨き残しを防止できる。
この為には、出来るだけ毛の長さが短い方がいいが、そのままでは、毛が固くなり幼児が痛がるという恐れがある。そこで、次の工夫がなされている。
Ｅ＝５．５〜６．５ｍｍが現在のところ、様々な制約条件のなかで最適値である。もっとも、Ｅ＝３．０ｍｍ〜８．０ｍｍ程度でも、一定の効果がある。
【００２３】
図３に示すように、ブラシ毛３１は、直径（φ）がφ≦０．１０ｍｍ（図４参照）の条件で形成されている。
このように直径を小さくしたことから、毛自体は弾力性を増すことができる。より細くすれば、より弾力性を増すことができ、Ｅの長さを短くできる。
しかし、細くなると、歯にブラシ毛３１が歯茎などに刺さりこれが今度は痛みの原因になる。
その痛みを緩和するために、ブラシ毛３１の先端部は、丸めて形成されている。
しかし、丸みを帯びさせることには一定の限界があり、現在のところφは０．０７ｍｍ〜０．１５ｍｍの範囲が可能な範囲と考えている。
そして、最適値は、φ＝０．０９ｍｍ〜０．１１ｍｍの範囲であると現在のところ考えている。
もっとも、より柔らかい素材をブラシ毛３１に使用できれば、変化することが考えられる。
また、直径を小さくしたことから、密集的に毛を植えることが可能となっている。
これによって、複数の毛が同時に歯茎に当たることになり、痛みを抑えることが可能になっている。
具体的には、７０本を２つ折りにして植えた１４０本が、一つのブラシの束当たりのブラシ毛３１の本数としている。これは、通常の２倍以上である。つまり、通常の歯ブラシの場合１束当たりの本数は２５本程度である。
ここで、本発明の密集的な植毛とは、一つの束当たりの本数が、５０本以上をいう。より適切値は、６０本以上であり、最適値は７５本以上である。
図２の例では、この束が、先頭側では２つ左右に並んでおり、その次が３つの列が５列並んでいる。そのため、図２の例では、１７束存在している。
なお、より薄くするため植毛した部分の植毛ベース部２３部分を傾斜部２２よりも薄くできればより好適である。
【００２４】
図５は、本発明の第１の実施形態に係る子供用歯ブラシ１の製造方法を示す説明図である。
子供用歯ブラシ１を製造する場合、基体２の植毛ベース部２３の植毛面の複数個所にブラシ毛３１を植設する。次に、複数のブラシ毛３１を毛丈７．０ｍｍでカットする。
【００２５】
この後、図５に示すように、人間の手５による手作業で、複数のブラシ毛３１の先端部を、歯ブラシ加工専用のグラインダ６の回転中の砥石６１に押し付けた状態で、所定時間で柄２１の方向を上下左右に変えることで、前記複数のブラシ毛３１の先端部を丸める。
【００２６】
図６は本発明の第１の実施形態に係る子供用歯ブラシ１による歯磨きを示す説明図である。
図６に示すように、本実施形態では、子供用歯ブラシ１を子供の歯磨き使用した場合、子供用歯ブラシヘッド４の複数のブラシ毛３１を子供７の歯７１に当てた状態で、ブラシ毛３１の先端が子供７の歯茎７２と適切な圧力で接触し、さらに複数のブラシ毛の先端部を丸めたことで、子供６が歯磨き中に痛がる点を十分解消することが可能となった。
なお、図６奥歯側から歯ブラシを挿入しているが、現実には、前歯側から磨くことになる。
【００２７】
以下、このような実施形態の構成及び作用を纏めて説明すると、子供用歯ブラシ１は、複数のブラシ毛３１が植毛された歯ブラシヘッド４を備える子供用歯ブラシ１であって、前記ブラシ毛３１の毛丈が大人用に比べて比較的短く形成され、前記ブラシ毛３１の直径が大人用に比べて小さく形成され、前記ブラシ毛３１の先端部が丸めて形成されている。
【００２８】
また、子供用歯ブラシ１は、前記ブラシ毛３１の毛丈が５．５〜６．５ｍｍの範囲内であり、前記ブラシ毛３１の直径が０．１ｍｍ以下であり、前記ブラシ毛３１の先端部が丸めて形成されている。
【００２９】
子供用歯ブラシ１の製造方法は、前記歯ブラシヘッド４に前記複数のブラシ毛３１を植毛する第１の工程と、前記第１の工程の後に、前記複数のブラシ毛３１の毛丈を切り揃える第２の工程と、前記第２の工程の後に、前記複数のブラシ毛３１の先端部を、回転中の砥石６１に押し付けることで、前記複数のブラシ毛３１の先端部を丸める第３の工程とを備える。  このような製造工程により、供用歯ブラシ１を効率的に製造できる。  
【００３０】
本発明の、構造、製造システム、材料、各部材の連結、科学物質、等は、本発明の要旨を変更しない範囲で、様々に変更可能である。
【００３１】
材質も、合成樹脂、金属、プラスチック、ＦＲＰ、木材、動物の毛等を自由に選択することが可能である。
【００３２】
例えば、２つ以上の部材を１つにすることも可能であるし、逆に、１つの部材を２つ以上の別の部材から構成して接続することも可能である。
【００３３】
また、上記第１の実施形態は、あくまでも、現在のところの最良またはそれに近い形態にすぎない。
また、製造の順序なども、所定の効果を有するのであれば、適宜変更可能である。
【００３４】
＜定義等＞
本発明におけるブラシ毛３としては、合成樹脂製繊維以外にも、動物の毛、植物繊維等、各種適用可能である。
【符号の説明】
【００３５】
１…子供用歯ブラシ
２…基体
３…ブラシ
４…子供用歯ブラシヘッド
５…手
６…グラインダ
７…子供
２１…柄  ２２…傾斜部  ２３…植毛ベース部  ３１…ブラシ毛  ６１…砥石  ７１…歯  ７２…歯茎
【図１】
2020044417.tif 000003
【図２】
2020044417.tif 000004
【図３】
2020044417.tif 000005
【図４】
2020044417.tif 000006
【図５】
2020044417.tif 000007
【図６】
2020044417.tif 000008
【国際調査報告】
2020044417.tif 000009
2020044417.tif 000010
2020044417.tif 000011